(57)【要約】      （修正有）【課題】従来、故人をしのぶ場合は、遺族の家を訪問して仏壇にお参りする場合が多く、遺族の負担になるため、遠慮してしまうケースもあった。【解決手段】遺族の都合に関係なくAIエターナルセンターを気軽に訪問し、AIによる故人との疑似会話をしたり、故人に関する画像を見て、故人を忍ぶことができるようにする。【選択図】図１
2018180924.tif 000002
【特許請求の範囲】
【請求項１】
納骨堂、礼拝堂、葬儀場の各施設のうち、少なくとも１施設の存在する場所に、AI（人工知能）を搭載したコンピューター又はAIを搭載したロボットあるいはドローンを設置したAIエターナルセンター
【発明の詳細な説明】
【技術分野】
【０００１】
本発明は、従来の仏壇参りや墓参りに対して、AI（人工知能）を使い、故人の声で疑似対話をしたり、故人に関連する映像を映し出したりして、より故人の魂に近づく仏壇参りや墓参りに発展させることに関連した発明である。
【背景技術】
【０００２】
従来は、親戚や友人等が故人をより親しみをもってしのぶ場合には、故人の家を訪ねて、仏壇にお参りし、死亡した経緯を聞いたり生前の写真等を見せてもらう必要があったため、遺族は仏壇を用意したり、お客様に備えたお菓子やお茶類、場合によりお酒を用意しての準備を余儀なくされ、プライバシーの問題を含めて遺族の負担は多大であるため、それらを考慮し訪問を諦めてしまうことも多かった。また、故人の情報量も年数とともに少なくなり、年数がたつと、遺族でさえ故人のことはすっかり忘れてしまうことが多かった。
【先行技術文献】
【特許文献】
【０００３】
【特許文献１】特開2002-279086号公報
【発明の概要】
【発明が解決しようとする課題】
【０００４】
遺族に迷惑をかけることなく、また遺族の予定に関係なく、故人が祀られている
AIエターナルセンターに行くことで、故人と疑似会話をしたり、故人に関する画像
を見ることができ、従来よりも親しみをもって故人をしのぶことが可能となり、
また同時に墓参りも可能となる。
遺族は、例えば心労が重なったとき等、AIエターナルセンターに行き、故人と
なった両親と疑似会話をすることで心が休まり、また何か良いことがあった場合には、
故人から「おめでとう」と言ってもらい、喜びを分かち合うことができる。そして、
これらのことが蓄積され情報量が増えることがあっても、減ることがない。
【課題を解決するための手段】
【０００５】
AIエターナルセンターへの申し込み登録時あるいはその後、家族の音声やアルバム
画像等の登録をして、その情報を２個の記憶媒体に収納する。記憶媒体の１個は
AIエターナルセンターで保管するが、もう一個のバックアップ用は、遺族が持ち帰り
保管してもいいし、AIエターナルセンターがもう１個とは別の場所に保管してもよい。
家族の一人が亡なった場合、葬儀の後にAIとの疑似会話の題材になる情報を遺族が
入力する。尚、AIエターナルセンターにて葬儀を行う場合は、葬儀前に葬儀用の故人の
情報を遺族が入力し、AIがお経を読んだり、ご焼香の指示を出したり故人に成り代わり
故人の声で挨拶したり、葬儀の進行役になることも可能である。
又、事前登録できず、死亡後にAIエターナルセンターに登録する場合は、遺族が
数百以上の音声サンプルから一番故人に似ていると思われる音声を選択する。アルバム
の登録は随時、インターネットや直接AIエターナルセンターに持ち込みにて行う。
葬儀はAIエターナルセンターで行ってもよいし、お寺やメモリアルホール等で行って
もよい。また、AIエターナルセンターの管理は複数あるいは単独の自治会や管理組合
で行ってもよいし、住職や牧師等を置いてもよい。
【発明の効果】
【０００６】
AIエターナルセンターを居住区の近くの公園の地下に設置すれば、家庭内に仏壇を設置したり、遠方に墓を建てたりする必要はなく、大幅なコスト削減になる。また、故人がまだ生きているような感じで気軽に墓参りが出来る上に、より身近な存在となる。
さらに、維持費はAIエターナルセンターへの参拝使用料で賄うため、現在社会問題になっている後継者のいない墓の維持の問題が解消する。
核家族化が進み、多くの日本人の心の中に家を継ぐという感覚が薄れ、また収入の低下
傾向も加わり、従来の墓石型の墓を維持する余裕がなくなり、生活していたところと異なるマンション型の墓や散骨を希望する人も増加している。これらだと遺族の心のよりどころとなる故人の居場所がイメージされにくく、喪失感が強くなり、生きる希望を削いでしまうようなことも多々あると想定される。故人が生前暮らしていた街を訪ね、そこにあるAIエターナルセンターに行けば、故人と会話ができ、そして相談でき、例えば受験の合否や恋の成就を占ってもらうことができるなら、強い心のよりどころが生まれ、元気と活力をもらい、故人と一緒に生きていると感じることさえ可能である。
【図面の簡単な説明】
【０００７】
【図１】図１納骨堂、礼拝堂、葬儀場により構成された施設にAI搭載のコンピューターを設置した例である。
【発明を実施するための形態】
【０００８】
AIエターナルセンターへの申し込み登録時あるいはその後、家族の音声やアルバム
画像等の登録をして、その情報を２個の記憶媒体に収納する。記憶媒体の１個は
AIエターナルセンターで保管するが、もう一個のバックアップ用は、遺族が持ち帰り
保管してもいいし、AIエターナルセンターがもう１個とは別の場所に保管してもよい。
家族の一人が亡なった場合、葬儀の後にAIとの疑似会話の題材になる情報を遺族が
入力する。尚、AIエターナルセンターにて葬儀を行う場合は、葬儀前に葬儀用の故人の
情報を遺族が入力し、AIがお経を読んだり、ご焼香の指示を出したり故人に成り代わり
故人の声で挨拶したり、葬儀の進行役になることも可能である。
又、事前登録できず、死亡後にAIエターナルセンターに登録する場合は、遺族が
数百以上の音声サンプルから一番故人に似ていると思われる音声を選択する。アルバム
の登録は随時、インターネットでの送付や直接AIエターナルセンターに持ち込みにて
行う。
葬儀はAIエターナルセンターで行ってもよいし、お寺やメモリアルホール等で行って
もよい。また、AIエターナルセンターの管理は複数あるいは単独の自治会や管理組合
で行ってもよいし、住職や牧師等を置いてもよい。
【０００９】
図1において、葬儀場9にてAI搭載のコンピューター1が事前登録された故人の
情報に基づき、またカメラ＆レンズ2で入力された参列者の一人一人の年齢や表情など
を確認しながら、さらにその日の天候などを勘案しながら、スピーカー3で適当な音楽
とともに、例えば故人が好きだったアナウンサーの声で、葬儀の進行を行う。
又、従来の葬儀と同様にお焼香台4、献花台5が設置され、ディスプレイ6では、
遺影やアルバム等をAIが葬儀の進行に合わせて適当なものを表示し、故人の声又は
故人の声に近い声での挨拶がある他は、通常の葬儀と同様の内容となる。
同様に、図1において、礼拝堂10にてAI搭載のコンピューター1が事前登録された
故人の情報に基づき、またカメラ＆レンズ2で入力された参列者の一人一人の年齢や
表情などを確認しながら、さらにその日の天候などを勘案しながら、スピーカー3で
適当な音楽とともに、またディスプレイ6で関連映像を楽しみながら、故人の声又は
故人に近い声で、参列者との対話を行う。
参列者が自己紹介や故人とのつながりを口頭で説明すると、それらを加味した対話が
行われ、さらにその対話履歴を記録媒体に収納し、AIエターナルセンターに保管して
置くことも可能である。次回、その記録媒体を使えば、さらに深い内容での対話が実現
される。
さらに、図1において、AIエターナルセンターを訪問したときは、随時納骨堂への
階段7を下り、納骨堂8で故人の遺骨の入った壺の確認が可能である。
【産業上の利用可能性】
【００１０】
本発明により、故人の居場所が故人のゆかりのある場所に比較的安価で設定され、
遺族や友人等が随時故人との疑似会話が永続的に可能となるため、多くの人が抱えて
いるお墓の設定や後継問題が解消される。
【符号の説明】
【００１１】
１ AI搭載のコンピューター
２ カメラ＆レンズ
３ スピーカー
４ お焼香台
５  献花台
６ デスプレイ
7  納骨堂への階段
8  納骨堂
9  葬儀場
10 礼拝堂
【図１】
2018180924.tif 000003